(57)【要約】【課題】軸線方向打撃の手工具装置の打撃機構構造体の振動遮断を磨耗なく行う打撃機構構造体を得る。【解決手段】少なくとも部分的に軸線方向の打撃を行う手工具装置１の打撃機構構造体であって、ハウジング３の作用点Ｐに正確に連結して振動を遮断するばね４と、正確に軸線方向に互いに離れかつ軸線方向に制限範囲内で移動可能な少なくとも２個のヒンジアーム５ａ，５ｂで構成した軸線方向案内手段とにより軸支した打撃機構構造体２において、ヒンジアーム５ａ，５ｂを湾曲し易い変形可能な構成とし、ハウジング３に対して摺動部分がないように連結する。好適にはヒンジアーム５ａ，５ｂを互い平行に離れかつ互いに逆向きに半径方向に延在させ、少なくとも１個のヒンジアーム５ａを、曲げにくい中間部分と、両側の端部における２個の弾性変形可能な薄片ヒンジ部７とを有するものとする。【選択図】図１
2004174707.tif 000002
【特許請求の範囲】
【請求項１】
少なくとも部分的に軸線方向の打撃を行う手工具装置（１）の打撃機構構造体であって、ハウジング（３）の作用点（Ｐ）に正確に連結して振動を遮断するばね（４）と、正確に軸線方向に互いに離れかつ軸線方向に制限範囲内で移動可能な少なくとも２個のヒンジアーム（５ａ，５ｂ）で構成した軸線方向案内手段とにより軸支した打撃機構構造体（２）において、ヒンジアーム（５ａ，５ｂ）を湾曲し易い変形可能な構成とし、ハウジング（３）に対して摺動部分がないように連結したことを特徴とする打撃機構構造体。
【請求項２】
前記ヒンジアーム（５ａ，５ｂ）を互いに離れた２個のヒンジアームを、互いに平行に配置した請求項１記載の打撃機構構造体。
【請求項３】
少なくとも１個のヒンジアーム（５ａ）を、曲げにくい中間部分と、両側の端部における２個の弾性変形可能な薄片ヒンジ部（７）とを有するものとした請求項１又は２記載の打撃機構構造体。
【請求項４】
中間部分に補強材（６）を付加した請求項３記載の打撃機構構造体。
【請求項５】
少なくとも２個のヒンジアーム（５ａ，５ｂ）を互いに逆向きに半径方向に延在させた請求項１乃至４のうちのいずれか一項に記載の打撃機構構造体。
【請求項６】
前記ばね（４）を圧縮コイルばねにより構成した請求項１乃至５のうちのいずれか一項に記載の打撃機構構造体。
【発明の詳細な説明】
【技術分野】
【０００１】
本発明は、ハウジングに対して軸線方向の振動を遮断する打撃機構構造体を介して連結した軸線方向打撃手工具装置、特に、手持ちチゼルハンマーに関するものである。
【背景技術】
【０００２】
軸線方向打撃の手工具装置を手で案内しつつ操作する際には、打撃による軸線方向の応力を十分に遮断することが必要である。特に、１０００Ｗ以上もある高い定格出力クラスの手工具装置は、慣性に基づく軸線方向打撃移動が数ミリ単位で生ずる打撃機構を設けているため、作業空間で異なる作業向きによって打撃機構の重力の下で異なるバイアス力がハウジングに加わることになる。
【０００３】
板ばねによる平行四辺形リンクを介して打撃機構構造体をハウジングに対して遮断する軸線方向打撃手工具装置がある（例えば、特許文献１参照）。空間における異なる向きの姿勢で作業する際に打撃機構構造体の軸線方向位置を制限するために必要な強力な板ばねは、激しい振動をハウジングの異なるポイントに励起し、これにより、付加的に不快な横方向振動モーメントも誘発する。
【特許文献１】ヨーロッパ特許第８３７７５６号明細書
【０００４】
打撃機構をハウジングに対して軸線方向に配置した圧縮コイルばねによって支持する手工具がある（例えば、特許文献２参照）。また軸線方向に配置した圧縮コイルばねとともに、ゴムリングによって打撃機構構造体のハウジングに対する軸線方向の僅かな移動を支持する手工具がある（例えば、特許文献３参照）。このような問題解決手法は、小さい軸線方向の軸受領域に設けるものである。
【特許文献２】独国特許第２８２０１２５号明細書
【特許文献３】独国特許第３４０５９２２号明細書
【０００５】
ハウジングに対して軸線方向の振動を遮断する平行四辺リンク機構を有し、この平行四辺リンク機構を、軸線方向に互いに離れた摺動軸受において軸線方向に制限された範囲内で移動自在かつ回動可能の２個のリンクアームと、ハウジングの振動中間点に対して斜めに張り渡した圧縮コイルばねとにより構成した軸線方向打撃の手工具装置があり（例えば、特許文献４参照）、これにより、横方向の振動モーメントを回避している。打撃機構による工具装置によって生ずる通常の高い粉塵負荷によって、摺動軸受は磨耗が激しい。
【特許文献４】米国特許第５０２５８７０号明細書
【発明の開示】
【発明が解決しようとする課題】
【０００６】
従って、本発明の目的は、軸線方向打撃の手工具装置の打撃機構構造体の振動遮断を磨耗なく行うことにある。
【課題を解決するための手段】
【０００７】
この目的を達成するため、本発明は、少なくとも部分的に軸線方向の打撃を行う手工具装置の打撃機構構造体であって、ハウジングの作用点に正確に圧着する振動遮断のためのばねと、正確に軸線方向に互いに離れかつ軸線方向に制限範囲内で移動可能な少なくとも２個のヒンジアームで構成した打撃機構構造体の軸受のための軸線方向案内手段とを具えた打撃機構構造体において、ヒンジアームを湾曲し易い変形可能な構成とし、ハウジングに対して摺動部分がないように連結したことを特徴とする。
【発明の効果】
【０００８】
湾曲し易い変形可能な軸受構造によって、打撃機構構造体は、手工具装置を異なる向きにしたとき、打撃機構構造体に異なるバイアス力が必然的に加わる約１０ｍｍより十分大きな軸線方向移動の際にも、摺動なく、従って、磨耗なく不快な横方向振動モーメントを軽減する。
【発明を実施するための最良の形態】
【０００９】
本発明の好適な実施例においては、バイアス力のない平行四辺案内を構成するため、前記ヒンジアームを互いに離れた２個のヒンジアームを互いに平行に配置する。
【００１０】
本発明の好適な実施例においては、振動方向に湾曲し易い構成と同時に横方向に曲げにくい構成を実現するため、少なくとも１個のヒンジアームを、曲げにくい中間部分と、両側の端部における２個の弾性変形可能な薄片ヒンジ部とを有するものとする。
【００１１】
また、本発明の好適な実施例においては、特に、ヒンジアームに沿って、騒音を発生する湾曲モード及びねじれ振動を抑制するため、中間部分に補強材を付加する。
【００１２】
更に、本発明の好適な実施例においては、少なくとも２個のヒンジアームを互いに逆向きに半径方向に延在させる。この場合、空間内で異なる作業向きにして手工具装置を操作する際に、打撃機構構造体の重量によって少なくとも１個のヒンジアームが半径方向に沿って引張応力が加わり、他方のヒンジアームに加わる応力が軽減され、このことにより、ヒンジアームに沿う折損による安定性の問題を回避することができる。
【００１３】
更にまた、本発明の好適な実施例においては、ばねを圧縮コイルばねにより構成する。この場合、減衰力に乏しいまた空間を節約できる小さいばね定数のばねで実現できる。
【００１４】
次に、図面につき本発明の好適な実施例を説明する。
【実施例】
【００１５】
図１は、打撃機構構造体２によりチゼルハンマーの形式の軸線方向打撃を行う手工具装置１を示し、この手工具装置１には、ハウジング３の作用点Ｐに正確に圧着する圧縮コイルばねの形式のばね４と、正確に軸線方向に互いに離れかつ軸線方向に制限範囲内で移動可能な少なくとも２個のヒンジアーム５ａ，５ｂにより構成して打撃機構構造体２の軸受のための軸線方向案内手段とを設ける。互いに平行で、また半径方向に延在する指向性が互いに逆向きであるヒンジアーム５ａ，５ｂをスチールにより構成し、軸線方向に湾曲し易い変形可能な構成とする。グリップ側のヒンジアーム５ａには、補強材６を付加して曲げにくくした中間部分と、両側の端部における平坦で変形可能な薄片ヒンジ部７を設ける。ヒンジアーム５ａ，５ｂは、軸線方向に突出する固定用円筒体８ａ，８ｂを介して間接的にハウジング３に連結するとともに、電動モータ９と、伝動装置１０と、及び空気式打撃機構１１とにより構成した打撃機構構造体２を直接的に連結して摺動運動がないようにする。
【図面の簡単な説明】
【００１６】
【図１】本発明による手工具装置の一部を切除して詳細に示した側面図である。
【符号の説明】
【００１７】
１  手工具装置
２  打撃機構構造体
３  ハウジング
４  ばね
5a,5b ヒンジアーム
６  補強材
７  薄片ヒンジ部
8a,8b 固定用円筒体
９  電動モータ
１０  伝動装置
１１  空気式打撃機構
【図１】
2004174707.tif 000003